(57)【要約】【課題】 競技者のゴルフパターに取付けて、常に正しいパッティングアドレスを確認しながら練習する事によって上達させるためのパッティング練習器である。【解決手段】 打球面を有するヘッドと、ヘッドから伸びるシャフトと、シャフトの端部に取付けられたグリップからなるゴルフパターに於いて、前記打球面に着脱自在に取付けてなるパッティング練習器であって、前記パッティング練習器は基部から下方に伸びる取付面と、前記基部から前方に伸びる方向指示板と、前記方向指示板に自重鉛直指示器と鉛直調整器と、を備えたパッティング練習器。【選択図】図５
2009268484.tif 000002
【特許請求の範囲】
【請求項１】
打球面を有するヘッドと、ヘッドから伸びるシャフトと、シャフトの端部に取付けられたグリップからなるゴルフパターに於いて、前記打球面に着脱自在に取付けてなるパッティング練習器であって、前記パッティング練習器は基部から下方に伸びる取付面と、前記基部から前方に伸びる方向指示板と、前記方向指示板に自重鉛直指示器と鉛直調整器と、を備えたパッティング練習器
【発明の詳細な説明】
【技術分野】
【０００１】
本発明は、ゴルフパターに関する。詳しくは、パッティングアドレスを矯正するパッティング練習器に関する。
【背景技術】
【０００２】
ゴルフパターとはグリーン上のゴルフボールをホールに入れるために使用するクラブである。また、パッティングとは競技者がゴルフパターでグリーン上のゴルフボールをホール入れるための一連の動作を言う。競技者はできるだけ少ない打数でゴルフボールをホールに入れたいと願っている。
【０００３】
その願望を満たすため、パッティングやパッティングアドレス（姿勢）を改善するためのスイング矯正器や練習器がいろいろ知られている。（特許文献１〜４）
【０００４】
【特許文献１】特開平９−６６１２７
【特許文献２】特開平１０−２４１２５
【特許文献３】特開２００３−１０３７３
【特許文献４】特開２００６−３４６４３５
【発明の開示】
【発明が解決しようとする課題】
【０００５】
ところで、競技者がゴルフボールをパッティングするとき、競技者とゴルフパターとボールの位置が常に正しいパッティングアドレスにセットされているかを競技者が確認する事は困難であった。
【０００６】
正しいパッティングアドレスとは、ゴルフボールの鉛直上に競技者（右利きの人）の左目が位置し、パターの打球面が、鉛直で、且つホールに対して垂直になっていることである。競技者が自分のゴルフパターに取付けて常に正しいパッティングアドレスを確認しながら練習できるパッティング練習器を提供する事によりより早い上達を目指す事にある。
【課題を解決するための手段】
【０００７】
この課題を解決するために本発明は、打球面を有するヘッドと、ヘッドから伸びるシャフトと、シャフトの端部に取付けられたグリップからなるゴルフパターに於いて、前記打球面に着脱自在に取付けてなるパッティング練習器であって、前記パッティング練習器は基部から下方に伸びる取付面と、前記基部から前方に伸びる方向指示板と、前記方向指示板に自重鉛直指示器と鉛直調整器と、を備えたパッティング練習器である。
【発明の効果】
【０００８】
競技者が自分のゴルフパターにパッティング練習器を装着する事によって常に正しいパッティングアドレスを確認しながら練習できるのでパッティングの上達が早くなる。また、競技者は自分のゴルフパターに着脱自在に取付けて練習できるのでパッティングフィーリングも掴めてパッティングの上達が早くなる。
【発明を実施するための最良の形態】
【０００９】
以下、本発明を適用した具体的な実施の形態について、図面を参照しながら詳細に説明する。
図１はパッティング練習器５の正面図である。図２はパッティング練習器５の平面図である。図３はパッティング練習器５のA−A断面図である。
パッティング練習器５は図１、図２に示すように基部８の中心から下方に伸びる中央部に空洞部７を有する馬蹄形の取付面６と、基部８から取付面６に対して前方に伸びる方向指示板９を備えている。方向指示板９は取付面６の底部よりゴルフボール直径より高い位置に位置し、取付面６よりゴルフボール直径の１／２の前方の位置に自重鉛直指示器１０と鉛直調整器１１を備え、更に前方に伸びる方向指示板９が備えられている。自重鉛直指示器１０より前方に伸びる方向指示板９は図３に示すように先端が高くなっている。
【００１０】
図３に示すように、パッティング練習器５は取付面６よりゴルフボール直径の１／２の前方の位置に取付面６と平行な上方に伸びる一定長さの鉛直調整軸１２と鉛直調整軸１２と同じ軸心を有する円弧の鉛直調整器１１を備えている。鉛直調整軸１２の先端部は軸中心にV形凹部１４を備えている。
【００１１】
図3に示すように、自重鉛直指示器１０は円錐台形の大径側より鉛直調整軸１２より大きくて浅い穴１５を備え、穴１５の天井部に軸中心からV形凸部１３を備えている。自重鉛直指示器１０はV形凸部１３を接点として円錐台形が自重で鉛直方向を指示するように均等に重量配分されている。V形凸部１３はV形凹部１４より鋭角で、先端が小径で、高さも高くなっているので自重鉛直指示器１０と鉛直調整軸１２を組合せに於いて、鉛直V形凸部１３とV形凹部１４が軸中心で点接触し鉛直調整軸１２を鉛直状態から３６０度一定範囲搖動させても自重鉛直指示器１０は鉛直方向を指示できる。
【００１２】
実際にゴルフパターに取付けての発明の効果を説明します。
ゴルフパター１は打球面３を備えたヘッド２とヘッド２から伸びるシャフト４と、シャフト４の端部にはグリップ（図示せず）が備えられている。
競技者がパッティングアドレスをした状態でゴルフパター１の打球面３を鉛直にしてパッティング練習器５の鉛直調整軸１２を鉛直にし、打球面３の中央詳しくはヘッド２の重心位置を通る打球面３と垂直の位置に取付面６の馬蹄形の空洞部７中心を合わせ、打球面３の底部と取付面６の底部を合わせて取付面６に両面テープや接着剤等で着脱自在に取付ける。
【００１３】
上記のように、パター１のヘッド２の打球面３に正しくパッティング練習器５を取付けた場合のパッテングアドレスをした状態図を説明する。
図４は競技者が正しいパッテングアドレスをした状態を示した正面図である。図５は競技者が正しいパッテングアドレスをした状態を示した平面図である。図６は競技者が正しいパッテングアドレスをした状態を示したB-B断面図である。
図７は打球面３が鉛直でない状態を示した平面図である。図８は打球面３が鉛直でない状態を示したC-C断面図である。
【００１４】
図４に示すように、競技者がパッティングアドレスをした状態で打球面３の中心と取付面６の馬蹄形の空洞部４中心を合わせ、打球面３の底部と取付面６の底部を合わせて取付けられている。打球面３に取付けられたパッティング練習器５は方向指示板９はゴルフボール直径より高い位置に位置し、取付面６は中央に馬蹄形の空洞部７を備えているので、パッティング時にパッティング練習器５に接することなくいつもと同じように打球面３でゴルフボールを打つ事ができる。
【００１５】
図５、図６に示すように、パッティングアドレスをした状態で右利きの競技者が右目を瞑って左眼だけで自重鉛直指示器１０の円錐台形が同心円に見える位置にすると左眼の鉛直下に自重鉛直指示器１０が位置する。自重鉛直指示器１０は取付面６（打球面３）よりゴルフボール直径の１／２前方に位置するのでパッティングアドレスでゴルフボールをセットした場合ゴルフボールの鉛直上に競技者の左目が位置する。
【００１６】
図７が示すように、打球面３が鉛直になっていない場合、傾きの大きさに比例して自重鉛直指示器１０と鉛直調整器１１が同心円よりずれる。この事は図８に示すように、自重鉛直指示器１０の軸心と鉛直調整軸１２の軸心がずれる事に起因している。
自重鉛直指示器１０と鉛直調整器１１とが同心円になるように調整すると打球面３は鉛直になる。次に、ホールに向って方向指示板９を合わせるパッティングアドレスは完成する。
方向性を高めるため方向指示板９を自重鉛直指示器１０より前方に伸ばす場合、図６の示すようにパッティング時の回転動作の邪魔にならないように高さを高くしておく方が好ましい。
【００１７】
即ち、右利きの競技者であれば右目を瞑って左眼で自重鉛直指示器１０の円錐台形が同心円に見えるようにすると自重鉛直指示器１０の鉛直上に左眼が位置する。自重鉛直指示器１０は取付面６（打球面３）よりゴルフボール１／２の前方に位置しているので競技者の左眼の鉛直下にゴルフボールの中心が位置する。
次に、自重鉛直指示器１０と鉛直調整器１１が同心円になるようにゴルフパター１を調整すると打球面６が鉛直に支持される。更に、ホールに向けて方向指示板９を合わせることで常に正しいパッティングアドレスを確認しながら練習する事ができるのでパッティングの上達が早くなる。
【産業上の利用可能性】
【００１８】
本発明は、ゴルフスコアの向上に利用できる。
【図面の簡単な説明】
【００１９】
【図１】図１はパッティング練習器５の正面図である。
【図２】図２はパッティング練習器５の平面図である。
【図３】図３はパッティング練習器５のA−A断面図である。
【図４】図４は競技者が正しいパッテングアドレスをした状態を示した正面図である。
【図５】図５は競技者が正しいパッテングアドレスをした状態を示した平面図である。
【図６】図６は競技者が正しいパッテングアドレスをした状態を示したB-B断面図である。
【図７】図７は打球面３が鉛直でない状態を示した平面図である。
【図８】図８は打球面３が鉛直でない状態を示したC-C断面図である。
【符号の説明】
【００２０】
１    ゴルフパター
２    ヘッド
３    打球面
４    シャフト
５    パッティング練習器
６    取付面
７    空洞部
８    基部
９    方向指示板
１０  自重鉛直指示器
１１  鉛直調整器
１２  鉛直調整軸
１３  V形凸部
１４  V形凹部
１５  穴
【図１】
2009268484.tif 000003
【図２】
2009268484.tif 000004
【図３】
2009268484.tif 000005
【図４】
2009268484.tif 000006
【図５】
2009268484.tif 000007
【図６】
2009268484.tif 000008
【図７】
2009268484.tif 000009
【図８】
2009268484.tif 000010